(57)【特許請求の範囲】
【請求項１】
エレベーターのカゴ内に後付けで設けられ、当該カゴ内で広告を表示する表示画面を備える端末装置からなる広告表示装置であって、
前記エレベーターの制御基板と、前記エレベーターの遠隔地に設けられ、当該エレベーターの動作を監視する管理サーバコンピュータと、に接続され、当該制御基板および当該管理サーバコンピュータとの間でそれぞれ通信をおこなうことで、前記エレベーターの遠隔監視システムを構成する監視装置に接続され、
前記監視装置から送信される信号を受信する受信部と、
前記受信部によって所定の信号が受信された場合に、前記表示画面における広告の表示を中止する表示制御部と、
を備えたことを特徴とする広告表示装置。
【請求項２】
エレベーターのカゴ内に後付けで設けられ、当該カゴ内で広告を表示する表示画面を備える端末装置からなる広告表示装置であって、
前記エレベーターの制御基板と、前記エレベーターの遠隔地に設けられ、当該エレベーターの動作を監視する管理サーバコンピュータと、に接続され、当該制御基板および当該管理サーバコンピュータとの間でそれぞれ通信をおこなうことで、前記エレベーターの遠隔監視システムを構成する監視装置に接続され、
前記監視装置から送信される信号を受信する受信部と、
前記受信部によって所定の信号が受信された場合に、前記表示画面における広告の表示形態を変更する表示制御部と、
を備えたことを特徴とする広告表示装置。
【請求項３】
前記表示制御部は、前記受信部によって所定の信号が受信された場合に、前記広告の表示サイズを変更することを特徴とする請求項２に記載の広告表示装置。
【請求項４】
前記表示制御部は、前記受信部によって所定の信号が受信された場合に、あらかじめ登録されている情報を前記表示画面に表示することを特徴とする請求項１〜３のいずれか一つに記載の広告表示装置。
【請求項５】
前記所定の信号は、前記カゴ内の非常ボタンが操作され、前記制御基板から当該非常ボタンが操作されたことを発報する発報用の信号が前記監視装置に出力された場合に、当該監視装置から送信される前記エレベーターにおいて異常運行が検出されたことを示す信号であることを特徴とする請求項１〜４のいずれか一つに記載の広告表示装置。」
【発明の詳細な説明】
【技術分野】
【０００１】
この発明は、エレベーターのカゴ内で広告を表示する広告表示装置に関する。
【背景技術】
【０００２】
従来、エレベーターのカゴ内で広告をおこなう各種の技術があった。具体的には、従来、たとえば、乗りかご内に乗り込む利用者の表面温度が平均値より高いか低いかに応じて、冷モードのコンテンツや暖モードのコンテンツを選定して広告表示することで、環境上での状況に応じたサービス性の高い広告表示をおこなうようにした技術があった（たとえば、下記特許文献１を参照。）。
【先行技術文献】
【特許文献】
【０００３】
【特許文献１】特開２０１６−１３２５５３号公報
【発明の概要】
【発明が解決しようとする課題】
【０００４】
しかしながら、上述した特許文献１を含む従来の技術は、エレベーターを利用している間という制限された状況において広告効果を高める各種の工夫がなされているものの、カゴ内の乗員の状況を考慮したものではなく、たとえば、非常事態になった後も状況にそぐわない不謹慎な広告が表示され続ける状況があるという問題があった。【０００５】
特に、エレベーターの設置後に後付けした汎用的なタブレット端末によってカゴ内で広告を表示する場合、後付けしたタブレット端末がエレベーターの機能維持にかかる機能を備えておらず、カゴ内の乗員の状況を考慮した、節度をわきまえた広告の表示をおこなうことが難しいという問題があった。【０００６】
この発明は、上述した従来技術による問題点を解消するため、カゴの乗員に配慮した、節度をわきまえた広告の表示をおこなうことができる広告表示装置を提供することを目的とする。【０００７】
また、この発明は、上述した従来技術による問題点を解消するため、汎用的な端末装置を用いて、エレベーターの状況に応じてカゴ内の乗員に配慮した、節度をわきまえた広告の表示をおこなうことができる広告表示装置を提供することを目的とする。
【課題を解決するための手段】
【０００８】
上述した課題を解決し、目的を達成するため、この発明にかかる広告表示装置は、表示画面を備え、エレベーターのカゴ内で広告を表示する広告表示装置であって、前記エレベーターの監視装置に接続され、当該監視装置から送信される信号を受信する受信部と、前記受信部によって所定の信号が受信された場合に、前記表示画面における広告の表示を中止する表示制御部と、を備えたことを特徴とする。【０００９】
また、上述した課題を解決し、目的を達成するため、この発明にかかる広告表示装置は、表示装置を備え、エレベーターのカゴ内で広告を表示する広告表示装置であって、前記エレベーターの監視装置に接続され、当該監視装置から送信される信号を受信する受信部と、前記受信部によって所定の信号が受信された場合に、前記表示画面における広告の表示形態を変更する表示制御部と、を備えたことを特徴とする。【００１０】
また、この発明にかかる広告表示装置は、上記の発明において、前記表示制御部が、前記受信部によって所定の信号が受信された場合に、前記広告の表示サイズを変更することを特徴とする。【００１１】
また、この発明にかかる広告表示装置は、上記の発明において、前記表示制御部が、前記受信部によって所定の信号が受信された場合に、あらかじめ登録されている情報を前記表示画面に表示することを特徴とする。【００１２】
また、この発明にかかる広告表示装置は、上記の発明において、前記所定の信号が、前記カゴ内の非常ボタンが押下された際に、前記監視装置から送信される信号であることを特徴とする。
【発明の効果】
【００１３】
この発明にかかる広告表示装置によれば、カゴの乗員に配慮した、節度をわきまえた広告の表示をおこなうことができるという効果を奏する。【００１４】
また、この発明にかかる広告表示装置によれば、汎用的な端末装置を用いて、エレベーターの状況に応じてカゴ内の乗員に配慮した、節度をわきまえた広告の表示をおこなうことができるという効果を奏する。
【図面の簡単な説明】
【００１５】
【図１】図１は、遠隔監視システムのシステム構成を示す説明図である。
【図２】図２は、この発明にかかる実施の形態の広告表示装置の設置の一例を示す説明図である。
【図３】図３は、この発明にかかる実施の形態の広告表示装置の外観の一例を示す説明図である。
【図４】図４は、この発明にかかる実施の形態の遠隔監視システムのハードウエア構成を示す説明図である。
【図５】図５は、この発明にかかる実施の形態の広告表示装置の機能的構成の一例を示すブロック図である。
【図６】図６は、表示画面における広告の表示態様を示す説明図である。
【図７】図７は、この発明にかかる実施の形態の広告表示装置が実行する処理手順の一例を示すフローチャート（その１）である。
【図８】図８は、この発明にかかる実施の形態の広告表示装置が実行する処理手順の一例を示すフローチャート（その２）である。
【発明を実施するための形態】
【００１６】
以下に添付図面を参照して、この発明にかかる広告表示装置の好適な実施の形態を詳細に説明する。
【００１７】
この発明にかかる広告表示装置は、表示画面を備え、エレベーターのカゴ内で広告を表示する。また、広告表示装置は、エレベーターの監視装置に接続され、当該監視装置から送信される所定の信号を受信した場合に、表示画面における広告の表示を中止する。
【００１８】
（遠隔監視システムのシステム構成）
まず、エレベーターの監視装置を含む遠隔監視システムのシステム構成について説明する。図１は、遠隔監視システムのシステム構成を示す説明図である。図１に示すように、遠隔監視システム１００は、管理サーバコンピュータ１１０と、エレベーター１２０と、監視装置１３０と、によって構成されている。遠隔監視システム１００においては、エレベーター１２０の動作を、当該エレベーター１２０の遠隔地に設置された管理サーバコンピュータ１１０を用いて監視する。管理サーバコンピュータ１１０は、監視装置１３０を介して、エレベーター１２０の動作を監視する。
【００１９】
管理サーバコンピュータ１１０は、監視対象となるエレベーター１２０が設置されている場所とは異なる、当該エレベーター１２０が設置されている場所から離れた遠隔地に設置されている。具体的に、管理サーバコンピュータ１１０は、たとえば、エレベーター１２０の保守管理を担う保守管理会社１１１などに設置することができる。保守管理会社１１１には、管理サーバコンピュータ１１０のほか、エレベーター１２０のカゴ１２１内の乗員と保守管理会社１１１のオペレーター１１２との直接通話を実現する電話機１１３が設けられている。
【００２０】
管理サーバコンピュータ１１０は、たとえば、汎用的なサーバコンピュータ装置によって実現することができる。管理サーバコンピュータ１１０には、パーソナルコンピュータなどによって実現される、操作用の端末装置１１４が接続されていてもよい。管理サーバコンピュータ１１０と操作用の端末装置１１４とは、同じ場所に設置されていてもよく、異なる場所に設置されていてもよい。
【００２１】
エレベーター１２０は、複数階建てのビル内などに設置され、人や物品を搭載するカゴ（乗りかご）１２１を備えている。カゴ１２１は、建物における各階床を、鉛直方向に沿って貫通する昇降路（図示を省略する）内に設けられている。カゴ１２１は、１つの昇降路に１つずつ設けられている。
【００２２】
昇降路には、カゴ１２１の昇降動作にかかわる駆動機構１２２が設けられている。駆動機構１２２は、たとえば、昇降路における上部に設けることができ、巻上機１２２ａ、ロープ１２２ｂ、カウンタウエイト１２２ｃなどによって構成されている。また、駆動機構１２２は、さらに、電磁ブレーキや調速機を備えている（いずれも図示を省略する）。
【００２３】
カゴ１２１には、操作盤１２３が設けられている。操作盤１２３は、各種の操作ボタンを含む操作ボタン群や、カゴ１２１が位置する階床などを表示する表示器などを備えている。また、操作盤１２３は、マイクおよびスピーカー（いずれも図４を参照）を備えており、インターフォンの機能を実現する。操作盤１２３は、操作盤１２３用の制御基板を備えている。
【００２４】
また、カゴ１２１には、表示画面を備えた広告表示装置１４０が設けられている（図２や図３を参照）。広告表示装置１４０は、通信機能を備えており、監視装置１３０との間で無線または有線による通信をおこなう。また、広告表示装置１４０は、インターネットなどのネットワーク１０１に接続されている。
【００２５】
昇降路における各階床に対応した位置（乗り場）１２４には、扉１２４ａが設けられている。乗り場１２４に設けられた扉１２４ａは、インターロックなどと称される装置で施錠されている。エレベーター１２０が停止階に到着した状態で、カゴ１２１に設けられたモーター（図示を省略する）を駆動すると、カゴ１２１の扉１２１ａの駆動機構部分とインターロックとがかみ合ってインターロックによる施錠が解放され、扉１２１ａおよび扉１２４ａが連動して開閉する。
【００２６】
各乗り場１２４には、それぞれ、操作盤１２５が設置されている。操作盤１２５は、それぞれ、乗り場呼びボタンや、カゴ１２１が位置する階床などを表示する表示器などを備えている（いずれも図示を省略する）。各乗り場１２４に設けられた操作盤１２５は、それぞれ、操作盤１２５用の制御基板を備えている。
【００２７】
エレベーター１２０は、エレベーター１２０が備える各部を駆動制御する制御基板１２６を備えている。制御基板１２６は、たとえば、巻上機１２２ａを駆動制御し、カゴ１２１を昇降させる。また、制御基板１２６は、たとえば、操作盤１２３用の制御基板や操作盤１２５用の制御基板と接続されており、操作盤１２３用の制御基板や操作盤１２５用の制御基板との間で信号の送受信をおこなう。
【００２８】
監視装置１３０は、通信機能を備えており、無線または有線により制御基板１２６と接続されている。また、監視装置１３０は、ネットワーク１０１を介して、管理サーバコンピュータ１１０に接続されている。このため、監視装置１３０は、制御基板１２６および管理サーバコンピュータ１１０との間で通信をおこなうことができる。
【００２９】
監視装置１３０は、制御基板１２６および管理サーバコンピュータ１１０との間で通信をおこなうことにより、エレベーター１２０の動作状態に関する情報を管理サーバコンピュータ１１０に出力する。これにより、エレベーター１２０の遠隔地の保守管理会社１１１において、エレベーター１２０を遠隔監視することができる。
【００３０】
また、監視装置１３０は、制御基板１２６および管理サーバコンピュータ１１０との間で通信をおこなうことにより、エレベーター１２０の状態に応じて管理サーバコンピュータ１１０から出力された動作指示を、制御基板１２６に出力する。これにより、エレベーター１２０の遠隔地の保守管理会社１１１において、エレベーター１２０を遠隔制御することができる。
【００３１】
さらに、監視装置１３０は、制御基板１２６との間における通信結果に基づいて、広告表示装置１４０との間で通信をおこなう。広告表示装置１４０は、監視装置１３０から送信される所定の信号を受信した場合に、表示画面における表示態様を変化させる。監視装置１３０は、制御基板１２６から出力された発報用の信号を受信した場合に、広告表示装置１４０に対して、エレベーター１２０の運行異常を検出したことを示す所定の信号を送信する。
【００３２】
監視装置１３０は、さらに、公衆音声網１０２を介して、電話機１１３に接続されている。公衆音声網１０２は、固定電話網（公衆交換電話網）および携帯電話網を含む。これにより、エレベーター１２０のカゴ１２１の中にいる者と保守管理会社１１１のオペレーター１１２とが直接通話することができる。監視装置１３０と電話機１１３とは、公衆音声網１０２に代えて、ネットワーク１０１を介して接続されていてもよい。
【００３３】
（広告表示装置１４０の設置例）
図２は、この発明にかかる実施の形態の広告表示装置１４０の設置の一例を示す説明図である。図２においては、エレベーター１２０のカゴ１２１内の様子を示している。図２に示すように、操作盤１２３は、カゴ１２１の内面であって、カゴ１２１に対して乗員が出入りする出入り口部分の扉１２１ａと同じ面に設けられている。操作盤１２３の操作ボタン群１２３ａは、たとえば、行先階ボタン、扉開閉ボタン、非常ボタンなどを含む。表示器１２３ｂは、カゴ１２１が位置する階床などを表示する。
【００３４】
広告表示装置１４０は、表示画面２０１を備えており、カゴ１２１の内壁面のうち操作盤１２３が設けられている面と同じ壁面であって、操作盤１２３より上側の天井近くに設置されている。これは、カゴ１２１内の乗員が、扉１２１ａ側の壁面を向いて立つことが一般的であることを想定している。
【００３５】
すなわち、通常、乗員は、カゴ１２１内に入った後、扉１２１ａ側の壁面を向いて立つことが多く、このような位置に広告表示装置１４０を設けることによって、カゴ１２１内の乗員が、表示画面２０１に表示される広告を容易に見ることができる。これにより、広告表示装置１４０を介した高い広告効果を発揮させることができる。
【００３６】
広告表示装置１４０は、撮像装置（カメラ）を備えていてもよい（図４を参照）。撮像装置は、たとえば、乗員の表情を撮影する。広告表示装置１４０を天井近くに設置することにより、撮像装置によって乗員の表情を容易に撮影することができる。また、撮像装置は、カゴ１２１から降りる際の乗員の表情を撮影することができる。
【００３７】
また、広告表示装置１４０を天井付近に設置することにより、乗員は、通常の状態で手を伸ばしても広告表示装置１４０に容易に触れることができない。したがって、乗員により、不用意に広告表示装置１４０に触れられたり、不正操作されたり、壊されたりすることを防止することができる。
【００３８】
図示を省略するが、広告表示装置１４０は、扉１２１ａおよび操作盤１２３が設けられている壁面に対向する壁面（カゴ１２１の奥側の壁面）に、それぞれ設けるようにしてもよい。カゴ１２１の奥側の壁面に設けることによって、乗員は、カゴ１２１内に入ってくる際に、広告表示装置１４０を見ることができる。
【００３９】
さらに、扉１２１ａおよび操作盤１２３が設けられている壁面と、その壁面に対向する壁面（カゴ１２１の奥側の壁面）とに、それぞれ広告表示装置１４０を設けることにより、乗員は、カゴ１２１内に入る際、および、カゴ１２１内から出る際に、広告表示装置１４０を見ることができる。
【００４０】
また、広告表示装置１４０は、扉１２１ａおよび操作盤１２３が設けられている壁面と同一の壁面の上側に代わって、側壁面に設けるようにしてもよい。この場合、広告表示装置１４０は、カゴ１２１の側壁面において、天井に近い上側の位置に設けることが好ましい。このように、広告表示装置１４０は、カゴ１２１内の扉１２１ａの上端よりも上側の位置のどの位置に設置してもよい。
【００４１】
広告表示装置１４０は、エレベーター１２０の設置後に、後付けすることができる。広告表示装置１４０は、カゴ１２１の広さ（定員数）、カゴ１２１の高さ、カゴ１２１の形状（床が正方形あるいは長方形など）、エレベーター１２０の種類（シースルー型、壁面に鏡の有り無し）、外扉の種類（窓の有り無し）などを勘案した最適な位置に設置することができる。また、広告表示装置１４０は、広告表示装置１４０の設置後に、自由にその設置位置を変更できるようにしてもよい。
【００４２】
広告表示装置１４０は、たとえば、壁面へのネジ止めにより設置することができる。広告表示装置１４０を壁面にネジ止めすることにより、落下を確実に防止することができる。ネジ止めは、壁面に限らず、ステーなどを介してカゴ１２１の天井に施してもよい。広告表示装置１４０は、ネジ止め以外の方法（たとえばマグネットなどを使用するなど）によって設置してもよい。
【００４３】
広告表示装置１４０を後付けする場合は、広告表示装置１４０に、図示を省略するコンセントプラグを設けるようにしてもよい。また、カゴ１２１には、コンセントプラグの挿入を受け付けるプラグソケット２０２（２０２ａ、２０２ｂ）が設けられている。プラグソケット２０２は、コンセントプラグが挿入されることによって当該コンセントプラグとともに配線用差込接続器を構成する。具体的には、たとえば、日本において汎用的に用いられているＡタイプのプラグソケットを用いることができる。
【００４４】
プラグソケットは、Ａタイプに限るものではない。具体的には、たとえば、インドやインドネシアなどにおいて広く用いられているＢ３タイプやＣタイプのプラグソケットを用いてもよく、香港などにおいて広く用いられているＢＦタイプのプラグソケットを用いてもよい。
【００４５】
あるいは、韓国などにおいて広く用いられているＳＥタイプのプラグソケットを用いてもよく、台湾などにおいて広く用いられているＯタイプのプラグソケットを用いてもよい。中国など、複数タイプのプラグソケットが普及している国や地域においては、Ａタイプ、Ｂタイプ、Ｃタイプ、Ｂ３タイプ、ＢＦタイプ、ＳＥタイプ、Ｏタイプなど様々なタイプの中から、エレベーター１２０を設置する地域に応じた任意のタイプのプラグソケットを用いることが好ましい。
【００４６】
プラグソケット２０２は、カゴ１２１上ボックスが収容する基板の電気回路に電気的に接続されている。これにより、プラグソケット２０２を介して、当該プラグソケット２０２に接続された電気機器に給電することができる。プラグソケット２０２は、カゴ１２１上ボックスが収容する基板の電気回路の端子に直接結線されているものに限らず、当該端子に接続された電力線に接続されていてもよい。このような電力線にプラグソケット２０２を接続する場合、当該電力線に分岐用のコネクタを設け、当該コネクタにプラグソケット２０２を接続することができる。
【００４７】
図２に示すように、プラグソケット２０２がカゴ１２１内に露出している場合、当該プラグソケット２０２は、カゴ１２１内の高い位置に配置することが好ましい。図２において、プラグソケット２０２ａは、カゴ１２１の側面に設けられており、また、プラグソケット２０２ｂは、天井面に設けられている。このように、カゴ１２１内に露出したプラグソケット２０２をカゴ１２１内の高い位置に配置することにより、雨天時に傘や衣服から飛んだ水滴が付着することを防止でき、また、盗電や子供などによる悪戯をしにくくすることができる。
【００４８】
プラグソケット２０２は、１つのカゴ１２１に１つ設けられていてもよく、１つのカゴ１２１に複数個設けられていてもよい。１つのカゴ１２１に複数のプラグソケット２０２を設ける場合、当該複数のプラグソケット２０２を並べて配置してもよく、複数箇所に分散して配置してもよい。プラグソケット２０２は、たとえば、当該プラグソケット２０２がカゴ１２１の内壁面（天井面）と同一面内に位置するように配置するとよい。
【００４９】
また、カゴ１２１には、プラグソケット２０２に代えて、図示を省略する、接栓座を設けるようにしてもよい。接栓座は、図示を省略するカゴ１２１上ボックスが収容する電気回路から供給される電源を、当該接栓座に接続された広告表示装置１４０に対して供給する機能を備える。具体的には、たとえば、電源供給用の配線を備えたレセクタブルを用いることによって、接栓座に接続された電気機器に対して電源を供給することができる。なお、レセクタブルは、電源供給用の配線に加えて、信号伝送用の配線を備えていてもよい。
【００５０】
接栓座を実現するレセクタブルは、当該レセクタブルに接続されている広告表示装置１４０の動作中に抜き差しすることができるホットプラグによって実現することが好ましい。接栓座を実現するレセクタブルは、さらに、図示を省略する制御回路を介して広告表示装置１４０への給電をおこなうようにしてもよい。
【００５１】
また、接栓座は、たとえば、ＵＳＢコネクタによって実現してもよい。接栓座を実現するレセクタブルとしてのＵＳＢコネクタは、たとえば、ＵＳＢ  Ｔｙｐｅ−Ａコネクタ、Ｍｉｃｒｏ  ＵＳＢコネクタ、Ｍｉｃｒｏ  ＵＳＢ  Ｔｙｐｅ−Ｂコネクタ、ＵＳＢ  Ｔｙｐｅ−Ｃコネクタなど公知の各種のＵＳＢコネクタのレセクタブルによって実現することができる。
【００５２】
また、接栓座を実現するレセクタブルは、ＵＳＢインタフェースのコネクタ（レセクタブル）に限るものではなく、たとえば、ＩＥＥＥ  １３９４コネクタ、ＰＳ／２コネクタ、Ｄ−Ｓｕｂコネクタ、ＤＩＮコネクタ、同軸コネクタ、その他公知の各種の通信用のコネクタによって実現されるものであってもよい。
【００５３】
接栓座を実現するレセクタブルは、１つのカゴ１２１に１つ設けられていてもよく、１つのカゴ１２１に複数設けられていてもよい。１つのカゴ１２１に複数の接栓座を実現するレセクタブルを設ける場合、通信Ｉ／Ｆのコネクタは１種類であってもよく、複数種類であってもよい。
【００５４】
接栓座を実現するレセクタブルは、たとえば、当該レセクタブルの端部がカゴ１２１の内壁面と同一面内に位置するように配置することができる。また、接栓座を実現するレセクタブルは、たとえば、当該レセクタブルの端部がカゴ１２１の内壁面よりもカゴ１２１の内側に飛び出していてもよく、カゴ１２１の内壁面から凹んだ位置に配置してもよい。
【００５５】
（広告表示装置１４０の外観）
つぎに、広告表示装置１４０の外観について説明する。図３は、この発明にかかる実施の形態の広告表示装置１４０の外観の一例を示す説明図である。図３に示すように、広告表示装置１４０の表示画面２０１は、横方向に長い長方形をなし、枠体３０１に囲まれている。
【００５６】
表示画面２０１は、防犯カメラ映像表示領域３０２、管理情報表示領域３０３、各種情報表示領域３０４、広告表示領域（広告エリア）３０５などのように複数（この実施の形態においては４つ）の領域から構成されるものであってもよい。このように、４つの領域に区切って表示することによって、各種情報を効率よく乗員に伝えることができる。
【００５７】
表示画面２０１の左下側の長方形の広告表示領域３０５を囲むように、上側から右側にかけて、防犯カメラ映像表示領域３０２、管理情報表示領域３０３、各種情報表示領域３０４が逆「Ｌ」字状に設けられている。防犯カメラ映像表示領域３０２は、左側に設けられ、それに続いて、管理情報表示領域３０３が横長に設けられる。防犯カメラ映像表示領域３０２には、表示画面２０１の下側に配置されたレンズ３０６を備えた撮像装置（カメラ：図４を参照）によって撮影された映像をリアルタイムで表示するようにしてもよい。
【００５８】
また、この管理情報表示領域３０３では、長いメッセージである場合は、右側から左側に流れるようにメッセージが表示される。管理情報表示領域３０３を表示画面２０１の上側に設けたのは、表示画面２０１の上側は、乗員にとっては視認しやすく、それ故に、比較的重要な管理情報を確実に乗員に伝えることができる。
【００５９】
また、右側の側面には、縦長に各種情報表示領域３０４が設けられており、図３に示すような天気予報や、交通情報、ニュースなど、エレベーター１２０の乗員に通知したい各種情報を表示する。各種情報表示領域３０４では、多くの情報を表示する場合は、下側から上側へ流れるように表示するようにしてもよい。具体的には、たとえば、各地域の天気予報を表示する場合は、新しい地域の情報は、順次下から表示され、古い地域の情報は上側へ移動してから、消去するようにしてもよい。また、その逆に、上側から、下側へ流れるように表示してもよい。また、左右どちらかへ流れるように表示してもよい。このように、各種情報表示領域３０４では、表示する情報の内容によって、表示形態を変えることができる。
【００６０】
管理情報表示領域３０３と、各種情報表示領域３０４とでは、その境に明確な区切りはない。これは、表示する状況に応じて、管理情報表示領域３０３を右側に長くしてもよく、また、各種情報表示領域３０４を上側に長くしてもよくできるようにしている。また、表示する情報によっては、管理情報表示領域３０３と、各種情報表示領域３０４とを、一続きとして、使用することもできる。
【００６１】
このように、表示画面２０１をレイアウトすることで、広告情報を表示しながら、それ以外の情報も同時に、乗員に伝えることができる。表示画面２０１は、通常は、このようなレイアウトであるが、状況によっては、このレイアウトが変更される。たとえば、エレベーター１２０の故障などの緊急事態が生じた場合は、広告エリアを消去して、必要な情報を表示するようにしてもよい。また、広告の表示演出として、表示画面２０１の全面を広告表示としてもよい。
【００６２】
（遠隔監視システム１００のハードウエア構成）
つぎに、この発明にかかる実施の形態の遠隔監視システム１００のハードウエア構成について説明する。図４は、この発明にかかる実施の形態の遠隔監視システム１００のハードウエア構成を示す説明図である。
【００６３】
図４に示すように、制御基板１２６は、巻上機１２２ａ、操作盤１２３（操作盤１２３用の制御基板）、操作盤１２５（操作盤１２５用の制御基板）、各種センサ（図示を省略する）など、エレベーター１２０を構成する各部と信号線を介して接続されており、当該各部を駆動制御する。制御基板１２６は、エレベーター１２０が備える各部に対して制御用の信号（下り信号）を出力するとともに、当該各部から出力された信号（上り信号）に基づいて、エレベーター１２０の運行動作を制御する。
【００６４】
上述した操作盤１２３用の制御基板は、エレベーター１２０の利用者などによる操作ボタンに対する入力操作を受け付けるごとに、当該入力操作に応じた上り信号を生成し、生成した上り信号を制御基板１２６に出力する。制御基板１２６は、たとえば、操作盤１２３の非常ボタンが操作された場合、監視装置１３０に対して、非常ボタンが操作されたことを発報する発報用の信号を出力する。
【００６５】
また、制御基板１２６は、エレベーター１２０の運行異常を検出した場合に、監視装置１３０に対して、運行異常を検出したことを発報する発報用の信号を出力する。制御基板１２６は、たとえば、地震、カゴ１２１の異常停止、カゴ１２１内の照度不足、カゴ１２１内での異常な音声を検出した場合に、監視装置１３０に対して発報用の信号を出力する。
【００６６】
具体的に、制御基板１２６は、たとえば、所定の震度（たとえば震度４）以上の地震を検出した場合に、監視装置１３０に対して発報用の信号を出力する。また、具体的に、制御基板１２６は、たとえば、階床と階床との間のような、カゴ１２１および乗り場の扉の開閉ができない位置におけるカゴ１２１の異常停止を検出した場合に、監視装置１３０に対して発報用の信号を出力する。
【００６７】
また、具体的に、制御基板１２６は、たとえば、カゴ１２１内に取り付けたフォトトランジスタやフォトダイオードなどの照度センサを用いてカゴ１２１内の照度不足を検出し、カゴ１２１内の照度不足を検出した場合に、監視装置１３０に対して発報用の信号を出力してもよい。また、具体的に、制御基板１２６は、たとえば、操作盤１２３が備えるマイクを用いて、悲鳴や怒鳴り声などのように、通常の会話の域を超える強さ（大きさ）の異常な音を検出した場合に、監視装置１３０に対して発報用の信号を出力してもよい。
【００６８】
また、具体的に、制御基板１２６は、たとえば、扉１２１ａ、１２４ａを開閉動作させる制御用の信号を出力したにもかかわらず、扉開閉センサの出力値に基づいて該当する扉１２１ａ、１２４ａが動作しないことを検出した場合に、監視装置１３０に対して発報用の信号を出力する。また、具体的に、制御基板１２６は、たとえば、カゴ１２１内に乗員が閉じ込められる運行異常（故障）を検出した場合に、監視装置１３０に対して発報用の信号を出力する。
【００６９】
さらに、制御基板１２６は、たとえば、カゴ１２１内に入ってから出るまでの間、ほぼ一定の姿勢でいる乗員の画像（通常の画像）に対して、乗員の動きが極端に大きい画像を、異常な画像内容として検出し、このような異常な画像内容を検出した場合に、監視装置１３０に対して発報用の信号を出力してもよい。このような異常な画像内容が検出される原因としては、たとえば、カゴ１２１内で体調を悪くした乗員が倒れたりうずくまったりしている、カゴ１２１内で乗員が喧嘩あるいは破壊行為をしている、などを想定することができる。
【００７０】
操作盤１２５用の制御基板は、操作盤１２３用の制御基板と同様に、エレベーター１２０の利用者などによる乗り場呼びボタンに対する入力操作を受け付けるごとに、当該入力操作に応じた呼びの上り信号を生成し、生成した呼びの上り信号を制御基板１２６に出力する。操作盤１２５用の制御基板から呼びの上り信号が出力された場合、制御基板１２６は、操作盤１２３用の制御基板から信号が出力された場合と同様に、操作盤１２５用の制御基板から出力された呼びの上り信号に基づいて各種の制御用の下り信号を生成し、生成した制御用の下り信号を該当する各部に出力することによってエレベーター１２０の運行動作を制御する。
【００７１】
監視装置１３０は、中継基板４０１、監視制御基板４０２、メモリ４０３、通信Ｉ／Ｆ（ＩｎｔｅｒＦａｃｅ）４０４などを備えている。中継基板４０１は、制御基板１２６から出力される各種の信号を解析し、解析結果を監視制御基板４０２に出力する。制御基板１２６から出力される各種の信号は、エレベーター１２０の機種などに応じて異なる。中継基板４０１は、解析に際して、制御基板１２６から出力される各種の信号を、監視制御基板４０２が処理可能なフォーマットに変換する。これにより、エレベーター１２０の機種の違いにかかわらず、当該エレベーター１２０の遠隔監視をおこなうことができる。
【００７２】
監視制御基板４０２は、中継基板４０１から出力された解析結果を、たとえば、メモリ４０３に記憶する。監視制御基板４０２は、中継基板４０１が入力を受け付けた信号を、解析することなく直接メモリ４０３に記憶してもよい。メモリ４０３は、電源の供給が絶たれた場合にも記憶した情報を保持する不揮発性の記憶媒体によって実現することができる。具体的には、メモリ４０３は、たとえば、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）などによって実現することができる。
【００７３】
具体的に、監視制御基板４０２は、たとえば、制御基板１２６から非常ボタンが操作されたことを示す信号（発報用の信号）が出力された場合、公衆音声網１０２などを介して、電話機１１３に呼出信号を送出する。これにより、カゴ１２１内の乗員は、操作盤１２３が備えるマイクおよびスピーカーを用いて、保守管理会社１１１のオペレーター１１２との間において音声通信（通話）をおこなうことができる。電話機１１３は、公衆音声網１０２に直接接続されていてもよく、ＰＢＸ（Ｐｒｉｖａｔｅ  Ｂｒａｎｃｈ  ｅＸｃｈａｎｇｅ）４０５を介して公衆音声網１０２に接続されていてもよい。
【００７４】
また、監視制御基板４０２は、中継基板４０１から出力された解析結果に基づいて送信用の信号を生成し、生成した送信用の信号を、ネットワーク１０１に接続された通信Ｉ／Ｆ４０４を介して、管理サーバコンピュータ１１０や広告表示装置１４０へ送信する。具体的に、監視制御基板４０２は、たとえば、制御基板１２６から非常ボタンが操作されたことを示す信号（発報用の信号）が出力された場合、広告表示装置１４０に対して、エレベーター１２０において異常運行が検出されたことを示す所定の信号を送信する。
【００７５】
また、監視制御基板４０２は、非常ボタンが操作された場合のほか、地震、カゴ１２１の異常停止、カゴ１２１内の照度不足、異常な音、扉１２１ａ、１２４ａが動作しないこと、カゴ１２１内に乗員が閉じ込められたこと、異常な画像内容が検出されたことなどを示す信号（発報用の信号）が制御基板１２６から出力された場合に、広告表示装置１４０に対して、エレベーター１２０において異常運行が検出されたことを示す所定の信号を送信する。
【００７６】
あるいは、監視制御基板４０２は、エレベーター１２０が備える各部から出力された信号（上り信号）や、制御基板１２６からエレベーター１２０が備える各部に対して出力された信号（下り信号）を取得し、取得した信号に基づいて、広告表示装置１４０に対して、エレベーター１２０において異常運行が検出されたことを示す所定の信号を送信するものであってもよい。
【００７７】
具体的には、監視制御基板４０２は、たとえば、エレベーター１２０が備えるセンサから制御基板１２６に対して、扉１２１ａ、１２４ａが動作しないことを示す上り信号を取得し、取得した信号に基づいて、広告表示装置１４０に対して、エレベーター１２０において異常運行が検出されたことを示す所定の信号を送信する。また、具体的には、監視制御基板４０２は、たとえば、制御基板１２６から巻上機１２２ａに対して非常停止を支持する下り信号を取得し、取得した信号に基づいて、広告表示装置１４０に対して、エレベーター１２０において異常運行が検出されたことを示す所定の信号を送信する。
【００７８】
通信Ｉ／Ｆ４０４は、データ通信をおこなうネットワーク１０１に加えて、音声通信をおこなうネットワークである公衆音声網１０２に接続されている。これにより、エレベーター１２０のカゴ１２１の中にいる者と保守管理会社１１１のオペレーター１１２とが直接通話することができる。
【００７９】
このように、データ通信および音声通信をおこなう監視装置１３０において、通信Ｉ／Ｆ４０４は、たとえば、データ通信をおこなう通信用基板、および、音声通信をおこなう通信用基板の複数の基板によって実現することができる。なお、監視装置１３０と電話機１１３とは、データ通信をおこなうネットワーク１０１のみを介して接続されていてもよい。
【００８０】
広告表示装置１４０は、ＣＰＵ４０６、メモリ４０７、表示画面２０１、マイク４０８、スピーカー４０９、撮像装置（カメラ）４１０、通信Ｉ／Ｆ４１１、を備えている。ＣＰＵ４０６は、絶縁体の板に固定された集積回路（ＩＣ）、抵抗器、コンデンサ、トランジスタなどの電子部品どうしを導線で接続することによって構成される、いわゆるマイコンによって実現することができる。
【００８１】
ＣＰＵ４０６は、メモリ４０７に記憶されたプログラムを実行することによって、広告表示装置１４０の装置全体の制御をつかさどる。メモリ４０７は、ＣＰＵ４０６が実行するプログラムを記憶するとともに、広告情報を含む各種情報を記憶することができる。メモリ４０７は、ハードディスクメモリのほか、ＩＣメモリ、ＳＳＤ（Ｓｏｌｉｄ  Ｓｔａｔｅ  Ｄｒｉｖｅ）などであってもよい。
【００８２】
また、メモリ４０７は、広告表示装置１４０に対して、広告表示装置１４０に設けられたカードスロットを介して着脱可能なメモリカードであってもよい。メモリカードは、たとえば、ＳＤ（Ｓｅｃｕｒｅ  Ｄｉｇｉｔａｌ）メモリカードなどのＩＣカードによってその機能を実現することができる。メモリカードは、外付けハードディスク、ＵＳＢメモリ、ＳＳＤなどによって、その機能を実現するようにしてもよい。
【００８３】
撮像装置４１０は、撮像素子を備え、撮像素子がレンズ３０６を通して受光した光を電気信号に変換することによって、画像情報（撮影データ）を取得する。撮像装置４１０は、静止画を撮影するものであってもよく、動画を撮影するものであってもよい。動画は、静止画を所定時間間隔で撮影したものを連続して再生するものであってもよい。また、動画は、所定の動画・音声データの圧縮方式の標準規格（たとえば、ＭＰＥＧ（Ｍｏｖｉｎｇ  Ｐｉｃｔｕｒｅ  Ｅｘｐｅｒｔｓ  Ｇｒｏｕｐ））などであってもよい。
【００８４】
通信Ｉ／Ｆ４１１は、通信回線を通じて広告表示装置１４０とネットワーク１０１とを接続するインタフェースであり、ネットワーク１０１と内部のインタフェースをつかさどり、外部装置からのデータの入力および外部装置へのデータの出力を制御する。
【００８５】
通信Ｉ／Ｆ４１１は、たとえば、Ｗｉ−Ｆｉ（登録商標）による無線インタフェースである。また、通信Ｉ／Ｆ４１１は、携帯電話回線（たとえばＬＴＥ（Ｌｏｎｇ  Ｔｅｒｍ  Ｅｖｏｌｕｔｉｏｎ）、ＰＨＳ（Ｐｅｒｓｏｎａｌ  Ｈａｎｄｙ−ｐｈｏｎｅ  Ｓｙｓｔｅｍ）などの無線通信のインタフェースであってもよく、また、モデムやＬＡＮアダプタなどの有線通信のインタフェースを採用することができる。また、エレベーター１２０が遠隔監視などのために有しているネットワークに接続し、そのネットワークを介して、情報の送受信をおこなうようにしてもよい。
【００８６】
表示画面２０１は、液晶表示器（ＬＣＤ：Ｌｉｑｕｉｄ  Ｃｒｙｓｔａｌ  Ｄｉｓｐｌａｙ）、有機ＥＬ（Ｅｌｅｃｔｒｏ−Ｌｕｍｉｎｅｓｃｅｎｃｅ）ディスプレイなどによって実現される。スピーカー４０９は、音声信号である電気信号によって振動板を振動させて音を発生させる。また、スピーカー４０９は、音声信号を出力する出力端子であってもよく、当該出力端子に外部スピーカー４０９を接続して、音を発生させるようにしてもよい。
【００８７】
（広告表示装置１４０の機能的構成）
図５は、この発明にかかる実施の形態の広告表示装置１４０の機能的構成の一例を示すブロック図である。図５において、広告表示装置１４０は、制御部５００と、広告情報受信部５０１と、広告情報記憶部５０２と、広告情報表示制御部５０３と、信号受信部５０４と、を含む構成となっている。
【００８８】
制御部５００は、広告表示装置１４０の全体を制御する。制御部５００は、具体的には、たとえば、図４に示したＣＰＵ４０６が、メモリ４０７などに記憶されたプログラムを実行することによって、その機能を実現することができる。
【００８９】
広告情報受信部５０１は、エレベーター１２０の乗員に対する広告に関する広告情報を受信する。広告情報受信部５０１は、具体的には、たとえば、図４に示した通信Ｉ／Ｆ４１１などによってその機能を実現することができる。広告情報受信部５０１は、図示を省略する、広告配信サーバあるいは広告主の情報端末装置から、ネットワーク１０１を介して、広告情報を受信することができる。また、広告情報受信部５０１は、エレベーター１２０の乗員が備えるスマートフォンなどの情報端末装置から広告情報を受信するようにしてもよい。
【００９０】
広告情報記憶部５０２は、広告情報受信部５０１によって受信された広告情報を記憶する。広告情報記憶部５０２は、具体的には、たとえば、図４に示したメモリ４０７などによってその機能を実現することができる。広告情報記憶部５０２は、広告情報受信部５０１によって受信された広告情報をそのまま記憶してもよく、また、一旦、広告情報受信部５０１によって受信された広告情報について、制御部５００によって表示用に加工されたものを記憶するようにしてもよい。
【００９１】
図４に示した通信Ｉ／Ｆ４１１が、ＵＳＢインタフェースによって実現される場合、広告情報記憶部５０２は、当該通信Ｉ／Ｆ４１１を介して接続されたＵＳＢメモリや外部装置などから取得した広告情報を記憶してもよい。この場合も、広告情報記憶部５０２は、ＵＳＢメモリや外部装置などから取得した広告情報をそのまま記憶してもよく、また、一旦、ＵＳＢメモリや外部装置などから取得した広告情報について、制御部５００によって表示用に加工されたものを記憶するようにしてもよい。
【００９２】
広告情報記憶部５０２は、たとえば、広告表示装置１４０またはエレベーター１２０の管理者と、広告主との間に成立した契約に基づいて定められる契約期間の間、広告情報を記憶する。契約期間が経過した広告情報は、広告情報記憶部５０２から消去する。契約期間が経過した広告情報の消去は、たとえば、管理者の操作を介することなく制御部５００が適宜おこなってもよく、管理者の操作に応じておこなってもよい。
【００９３】
広告情報表示制御部５０３は、広告情報受信部５０１によって受信され、広告情報記憶部５０２に記憶された広告情報に基づいて、表示画面２０１に広告を表示する。広告情報表示制御部５０３は、具体的には、たとえば、図４に示したＣＰＵ４０６が、メモリ４０７などに記憶されたプログラムを実行することによって、その機能を実現することができる。広告情報表示制御部５０３は、広告情報記憶部５０２に記憶された広告情報を表示画面２０１に表示するようにしてもよく、また、広告情報記憶部５０２に記憶された広告情報について、制御部５００によって加工された後に、表示画面２０１に表示するようにしてもよい。
【００９４】
広告情報は、特典に関する特典情報を含んでいてもよい。特典に関する特典情報とは、たとえば、エレベーター１２０の乗員のみが提供を受けられ、それ以外の人は提供を受けられない利点などである。具体的には、広告主が提供する商品やサービスに対する割引や特別待遇などである。たとえば、特典情報は、商品またはサービスに対する割引クーポンであってもよい。
【００９５】
特典情報には、広告を表示したエレベーター１２０、当該エレベーター１２０が設置された建物（マンションやオフィスビル）および当該建物が存在する地域（住所による区分あるいは距離による区分によって特定された地域など）の少なくともいずれか１つを特定する情報が含まれていてもよい。
【００９６】
ここで、エレベーター１２０を特定する情報は、具体的には、たとえば、住所や電話番号などであってもよく、また、エレベーター１２０の管理会社が各エレベーター１２０を管理する際に各エレベーター１２０にそれぞれ付与しているＩＤ番号などであってもよい。また、エレベーター１２０が設置された建物を特定する情報は、具体的には、たとえば、当該エレベーター１２０が設置されている建物名、住所、電話番号などであってもよく、また、エレベーター１２０の管理会社が各エレベーター１２０を管理する際に各建物にそれぞれ付与しているＩＤ番号などであってもよい。
【００９７】
エレベーター１２０が設置された建物が存在する地域を特定する情報は、具体的には、当該建物の住所の単位（○○町一丁目など）や、当該建物の所在地の緯度経度情報から、その所在地を中心としたエリア（半径○○ｍ以内など）、あるいは、当該建物の所在地から最寄りの交通機関（地下鉄駅など）を中心としたエリアなどであってもよい。
【００９８】
制御部５００は、広告表示装置１４０（のメモリ４０７）が記憶する、広告表示装置１４０が備える当該エレベーター１２０に関する情報、エレベーター１２０が設置された建物を特定する情報、エレベーター１２０が設置された建物が存在する地域を特定する情報の少なくともいずれか１つを取得して、特典情報に含めることができる。
【００９９】
特典情報には、特典の提供を受ける条件に関する情報が含まれていてもよい。また、特典情報には、当該特典情報を含む広告を表示するまたは表示した日時に関する情報が含まれていてもよい。制御部５００は、この特典の提供を受ける条件に関する情報または広告を表示するまたは表示した日時に関する情報を特典情報に含めるようにしてもよい。制御部５００は、広告表示装置１４０（のＣＰＵ４０６）が備える時計から日時情報を取得して、特典情報を含む広告を表示するまたは表示した日時に関する情報を特典情報に含めることができる。
【０１００】
特典情報に、当該エレベーター１２０に関する情報、エレベーター１２０が設置された建物を特定する情報、エレベーター１２０が設置された建物が存在する地域を特定する情報の少なくともいずれかに関する情報や、日時に関する情報が含まれていることによって、当該特典情報を用いて特典の提供を申し出た乗員がエレベーター１２０内で広告を見た日時を容易に特定することができ、その後のマーケティング情報として活用することができる。
【０１０１】
また、特典情報に、特典の提供を受ける条件に関する情報が含まれていることによって、利用者（乗員）が受けられる特典の内容を正確に把握でき、より確実に、当該特典を利用することができるようになる。
【０１０２】
特典情報は、スマートフォンなどの携帯端末装置が取得可能な情報であってもよい。具体的には、たとえば、特典情報は、２次元コードにより表示される情報であってもよい。表示画面２０１に表示された２次元コードは、たとえば、携帯端末装置のカメラによって撮影され、携帯端末装置が備えるアプリケーションにより、その２次元コードに記録されている情報を取得することができる。
【０１０３】
信号受信部５０４は、監視装置１３０から送信される信号を受信する。監視装置１３０から送信される信号は、エレベーター１２０において異常運行が検出されたことを示す所定の信号を含む。信号受信部５０４は、具体的には、たとえば、図４に示した通信Ｉ／Ｆ４１１などによってその機能を実現することができる。
【０１０４】
上記の広告情報表示制御部５０３は、信号受信部５０４によって所定の信号が受信された場合に、表示画面２０１における広告の表示を中止する。また、広告情報表示制御部５０３は、信号受信部５０４によって所定の信号が受信された場合に、表示画面２０１における広告の表示を中止し、広告に代えて、あらかじめ登録されている情報を表示画面２０１に表示してもよい。
【０１０５】
あらかじめ定められた情報は、たとえば、『ただ今、地震がありました。エレベーター１２０は最寄りの階に停止しますので、速やかにエレベーター１２０から降りて、安全な場所に避難してください。』や、『ただ今、サービスマンが向かっております。ご迷惑をおかけしますが、今しばらくお待ちください。』などのように、運行異常の発生にともなって、カゴ１２１内の乗員に案内される情報であって、運行異常の発生にともなってカゴ１２１内の乗員に案内されるガイダンスメッセージであってもよく、エレベーター１２０を管理する管理部門のオペレーター１１２の画像などであってもよい。
【０１０６】
オペレーター１１２の画像は、静止画であっても動画であってもよい。また、オペレーター１１２の画像は、あらかじめ撮像（録画）されたものであってもよく、リアルタイムで撮像されるものであってもよい。ガイダンスメッセージ（図６（ｄ）における符号６０２を参照）やオペレーター１１２の画像は、たとえば、広告表示装置１４０のメモリ４０７が記憶する。
【０１０７】
所定の信号は、操作盤１２３の非常ボタンが操作されたことに応じて、監視装置１３０から送信されることから、カゴ１２１内において、非常ボタンが操作されるような非常事態が発生した場合に広告の表示を中止することにより、非常事態になった後も状況にそぐわない広告が表示され続けることによって、カゴ１２１内の乗員を不快にすることを回避できる。
【０１０８】
また、所定の信号は、地震、カゴ１２１の異常停止、カゴ１２１内の照度不足、異常な音、扉１２１ａ、１２４ａが動作しないこと、カゴ１２１内に乗員が閉じ込められたこと、異常な画像内容が検出されたことなどを示す信号（発報用の信号）が制御基板１２６から出力された場合に、監視装置１３０から広告表示装置１４０に対して送信されることから、カゴ１２１内の乗員がエレベーター１２０の利用中に不安を覚えるようなこれらの事態が発生した場合に広告の表示を中止することにより、非常事態になった後も状況にそぐわない広告が表示され続けることによって、カゴ１２１内の乗員を不快にすることを回避できる。
【０１０９】
広告情報表示制御部５０３は、信号受信部５０４によって所定の信号が受信された場合に、広告の表示を中止するのではなく、表示画面２０１における広告の表示形態を変更するようにしてもよい。広告の表示形態を変更することにより、広告の表示を中止することなく、表示画面２０１を有効に活用して、非常事態においてカゴ１２１内の乗員に伝達すべき情報を迅速かつ確実に伝達することができる。
【０１１０】
具体的には、広告情報表示制御部５０３は、たとえば、複数の領域に分割した表示画面２０１における１つの領域において広告を表示し、別の領域において、『ただ今、地震がありました。エレベーター１２０は最寄りの階に停止しますので、速やかにエレベーター１２０から降りて、安全な場所に避難してください。』などのガイダンスメッセージを表示する。あるいは、具体的には、広告情報表示制御部５０３は、たとえば、上記のようなガイダンスメッセージを、広告に重ねて表示することによって、広告の表示形態を変更するようにしてもよい。
【０１１１】
このように、監視装置１３０から送信される所定の信号を受信した場合に広告の表示を中止したり、広告の表示形態を変更したりすることにより、エレベーター１２０の状態を検出するセンサや運行異常を検出するプログラムなどを搭載しておらずエレベーター１２０の機能維持に特化されていない機器を用いて、カゴ１２１内で広告を表示するとともに、エレベーター１２０の非常事態が発生した場合に広告の表示を中止したり表示形態を変更したりすることができる。
【０１１２】
これにより、汎用的なタブレット端末などを用いて、エレベーター１２０の状況に応じ広告の表示に適した状況に制限してカゴ１２１内での広告の表示を実現でき、また、カゴ１２１内の乗員に配慮した、節度をわきまえた広告の表示をおこなうことができる。
【０１１３】
（広告の表示態様）
つぎに、表示画面２０１における広告の表示態様について説明する。図６は、表示画面２０１における広告の表示態様を示す説明図である。図６（ａ）に示すように、エレベーター１２０が通常運行している場合、表示画面２０１は、広告６０１を表示する。具体的に、たとえば、『○○マンション  モデルルーム公開  ×月×日１０：００より』、『ご来場・ご成約キャンペーン  実施しております』などの文字ガイダンスや、広告６０１対象のマンションのイメージモデルがにこやかに微笑む画像などを含む広告６０１を表示する。
【０１１４】
そして、広告表示装置１４０において広告６０１を表示している際に、たとえば、震度４以上の地震が発生した場合、制御基板１２６は、図６（ｂ）に示すように、監視装置１３０に対して発報用の信号を出力する。監視装置１３０は、発報用の信号を受信すると、図６（ｃ）に示すように、広告表示装置１４０に対して、エレベーター１２０において異常運行が検出されたことを示す所定の信号を送信する。広告表示装置１４０は、監視装置１３０から送信された所定の信号を受信すると、図６（ｃ）に示すように、表示画面２０１における広告の表示を中止する。
【０１１５】
このように、エレベーター１２０において運行異常が検出されるような非常事態には広告６０１の表示を停止することにより、たとえば、震度４以上の地震が発生したような非常事態に、イメージモデルがにこやかに微笑む画像などの、状況にそぐわない広告６０１が表示され続けることによって、カゴ１２１内の乗員６００を不快にすることを回避できる。
【０１１６】
さらに、広告表示装置１４０は、広告６０１の表示中に監視装置１３０から送信された所定の信号を受信した場合、広告６０１に代えて、図６（ｄ）に示すように、あらかじめ定められた情報を表示してもよい。具体的に、広告６０１に代えて、たとえば、『ただ今、地震がありました。エレベーター１２０は最寄りの階に停止しますので、速やかにエレベーター１２０から降りて、安全な場所に避難してください。』などのガイダンスメッセージ６０２を表示する。これにより、表示画面２０１を有効に活用して、カゴ１２１内の乗員６００に有用な情報を迅速に伝達することができる。
【０１１７】
監視装置１３０は、広告表示装置１４０に対して、エレベーター１２０において検出された異常運行ごとに設定された所定の信号を送信し、広告表示装置１４０は、監視装置１３０から送信されうる所定の信号の種類ごと、すなわち、想定される運行異常ごとにガイダンスメッセージ６０２を記憶していてもよい。
【０１１８】
具体的に、ガイダンスメッセージ６０２は、たとえば、想定される運行異常が地震であれば、上記のように、『ただ今、地震がありました。エレベーター１２０は最寄りの階に停止しますので、速やかにエレベーター１２０から降りて、安全な場所に避難してください。』などのガイダンスメッセージによって実現することができる。
【０１１９】
また、ガイダンスメッセージ６０２は、たとえば、想定される運行異常が階床と階床との間でのカゴ１２１の停止であれば、『ただ今、サービスマンが向かっております。ご迷惑をおかけしますが、今しばらくお待ちください。』などのガイダンスメッセージによって実現することができる。また、たとえば、具体的に想定されない運行異常に対するガイダンスメッセージ６０２は、乗員６００に冷静になるように促す内容であってもよい。
【０１２０】
また、オペレーターの画像は、広告６０１に代えて表示してもよく、あるいは、広告６０１に代えて該当するガイダンスメッセージを表示した後に、当該ガイダンスメッセージに代えて、表示画面２０１に表示してもよい。また、ガイダンスメッセージ６０２は、文字によって示されるガイダンスメッセージと、画像によって示されるガイダンスメッセージと、の両方を含むものであってもよい。さらに、ガイダンスメッセージ６０２は、音声を含むものであってもよい。
【０１２１】
（広告表示装置１４０が実行する処理手順）
つぎに、広告表示装置１４０が実行する処理手順について説明する。図７および図８は、この発明にかかる実施の形態の広告表示装置１４０が実行する処理手順の一例を示すフローチャートである。
【０１２２】
図７のフローチャートにおいて、広告表示装置１４０は、ネットワーク１０１を介して、広告情報を受信したか否かを判断する（ステップＳ７０１）。そして、広告情報を受信するのを待って（ステップＳ７０１：Ｎｏ）、受信した場合（ステップＳ７０１：Ｙｅｓ）、受信した広告情報を、たとえば広告情報記憶部５０２に記憶する（ステップＳ７０２）。
【０１２３】
つぎに、広告開始時期になったか否かを判断する（ステップＳ７０３）。広告開始時期になったか否かの判断は、受信した広告情報に含まれる開始時期に関する情報に基づいておこなうことができる。また、他の広告情報との優先順位（この優先順位に関する情報も、広告情報に含まれていてもよい）に基づいて判断してもよい。
【０１２４】
ステップＳ７０３において、広告開始時期になるのを待ち（ステップＳ７０３：Ｎｏ）、広告開始時期になった場合（ステップＳ７０３：Ｙｅｓ）、広告情報記憶部５０２に記憶されている広告情報に基づいて、表示画面２０１に広告６０１を表示して（ステップＳ７０４）、一連の処理を終了する。
【０１２５】
ステップＳ７０４においては、あらかじめ設定された広告表示時間（たとえば、３０秒）の間、表示画面２０１に広告６０１を表示する。広告表示時間は、たとえば、広告表示装置１４０またはエレベーター１２０の管理者と、広告主との間の契約に基づいて設定される。同一の時間枠に、複数の広告主との契約が成立している場合、当該時間枠において該当する複数の広告６０１を順次繰り返して表示する。広告６０１が動画である場合、広告表示時間は、たとえば、当該動画の再生時間としてもよい。
【０１２６】
図８のフローチャートに示す処理は、表示画面２０１に広告６０１を表示している際におこなう。図８のフローチャートにおいて、広告表示装置１４０は、監視装置１３０から送信された信号を受信したか否かを判断する（ステップＳ８０１）。そして、監視装置１３０から送信された信号を受信するのを待って（ステップＳ８０１：Ｎｏ）、監視装置１３０から送信された信号を受信した場合（ステップＳ８０１：Ｙｅｓ）、受信した信号が所定の信号であるか否かを判断する（ステップＳ８０２）。
【０１２７】
ステップＳ８０２においては、エレベーター１２０において異常運行が検出されたことを示す所定の信号であるか否かを判断する。ステップＳ８０１：Ｙｅｓにおいて受信した信号が所定の信号でない場合（ステップＳ８０２：Ｎｏ）、一連の処理を終了する。一方、受信した信号が所定の信号である場合（ステップＳ８０２：Ｙｅｓ）、表示画面２０１における広告６０１の表示を停止する（ステップＳ８０３）。
【０１２８】
つぎに、表示を停止した広告６０１に代えて、表示画面２０１にガイダンスメッセージ６０２を表示する（ステップＳ８０４）。ステップＳ８０４においては、上記のように、メモリ４０７が記憶するガイダンスメッセージ６０２のうち、検出した運行異常に応じたガイダンスメッセージ６０２を表示する。そして、解除信号を受信したか否かを判断する（ステップＳ８０５）。解除信号を受信した場合（ステップＳ８０５：Ｙｅｓ）、一連の処理を終了する。そして、広告６０１の表示を再開する。
【０１２９】
一方、解除信号を受信していない場合（ステップＳ８０５：Ｎｏ）、ステップＳ８０４においてガイダンスメッセージ６０２を表示してから所定時間が経過したか否かを判断する（ステップＳ８０６）。所定時間が経過していない場合（ステップＳ８０６：Ｎｏ）、ステップＳ８０５へ移行し、ガイダンスメッセージ６０２の表示を継続したまま、解除信号を受信したか否かを判断する。
【０１３０】
これに対し、解除信号を受信しないまま、ガイダンスメッセージ６０２を表示してから所定時間が経過した場合（ステップＳ８０６：Ｙｅｓ）、ステップＳ８０４において表示したガイダンスメッセージ６０２に代えて、オペレーター１１２の画像を表示する（ステップＳ８０７）。ステップＳ８０７においては、たとえば、あらかじめ設定されたオペレーター画像表示時間（たとえば、３０秒）の間、表示画面２０１にオペレーター１１２の画像を表示する。あるいは、ステップＳ８０７においては、たとえば、解除信号を受信するまでの間、オペレーター１１２の画像を表示してもよい。
【０１３１】
なお、上述した実施の形態においては、制御基板１２６から監視装置１３０に出力された発報用の信号に基づき、監視装置１３０から広告表示装置１４０に所定の信号が送信された場合に、広告表示装置１４０おける広告６０１の表示を中止、あるいは、表示画面２０１における広告６０１の表示形態を変更するようにしたが、これに限るものではない。
【０１３２】
広告表示装置１４０は、制御基板１２６から出力された信号を取得し、発報用の信号を取得した場合に、広告表示装置１４０おける広告６０１の表示を中止、あるいは、表示画面２０１における広告６０１の表示形態を変更するものであってもよい。さらに、広告表示装置１４０は、エレベーター１２０が備える各部から出力された信号（上り信号）や、制御基板１２６からエレベーター１２０が備える各部に対して出力された信号（下り信号）を取得し、取得した信号に基づいて、広告表示装置１４０おける広告６０１の表示を中止、あるいは、表示画面２０１における広告６０１の表示形態を変更するものであってもよい。
【０１３３】
以上説明したように、この発明にかかる実施の形態の広告表示装置１４０は、表示画面２０１を備え、エレベーター１２０のカゴ１２１内で広告６０１を表示する広告表示装置１４０であって、エレベーター１２０の監視装置１３０に接続され、当該監視装置１３０から送信される信号を受信する受信部と、受信部によって所定の信号が受信された場合に、表示画面２０１における広告６０１の表示を中止する表示制御部と、を備えたことを特徴としている。
【０１３４】
この発明にかかる実施の形態の広告表示装置１４０によれば、運行異常が検出されたことにともない監視装置１３０から送信される所定の信号を受信した場合、すなわち、非常事態が発生した場合に広告６０１の表示を中止することにより、非常事態になった後も状況にそぐわない広告６０１が表示され続けることによって、カゴ１２１内の乗員６００を不快にすることを回避できる。
【０１３５】
これにより、カゴ１２１内での広告６０１の表示を、広告６０１の表示に適した状況に制限しておこなうことができ、カゴ１２１内の乗員６００に配慮した、節度をわきまえた広告６０１の表示をおこなうことができる。
【０１３６】
また、この発明にかかる実施の形態の広告表示装置１４０によれば、監視装置１３０から送信される所定の信号を受信した場合に広告６０１の表示を中止することにより、エレベーター１２０の状態を検出するセンサや運行異常を検出するプログラムなどを搭載しておらずエレベーター１２０の機能維持に特化されていない機器を用いて、エレベーター１２０の非常事態が発生した場合に広告６０１の表示を中止することができる。
【０１３７】
これにより、タブレット端末などのように、表示画面２０１や通信Ｉ／Ｆを備えた汎用的な端末装置によって広告表示装置１４０を実現し、エレベーター１２０の設置後にカゴ１２１に後付けした当該広告表示装置１４０によって、カゴ１２１内の乗員６００に配慮した、節度をわきまえた広告６０１の表示をおこなうことができる。
【０１３８】
このように、この発明にかかる実施の形態の広告表示装置１４０によれば、汎用的な端末装置を用いて、エレベーター１２０の状況に応じ広告６０１の表示に適した状況に制限してカゴ１２１内での広告６０１の表示を実現でき、カゴ１２１内の乗員６００に配慮した、節度をわきまえた広告６０１の表示をおこなうことができる。
【０１３９】
また、この発明にかかる実施の形態の広告表示装置１４０は、表示画面２０１を備え、エレベーター１２０のカゴ１２１内で広告６０１を表示する広告表示装置１４０であって、エレベーター１２０の監視装置１３０に接続され、当該監視装置１３０から送信される信号を受信する受信部と、受信部によって所定の信号が受信された場合に、表示画面２０１における広告６０１の表示形態を変更する表示制御部と、を備えたことを特徴とするものであってもよい。
【０１４０】
このような広告表示装置１４０によれば、運行異常が検出されたことにともない監視装置１３０から送信される所定の信号を受信した場合、すなわち、非常事態が発生した場合に広告６０１の表示形態を変更することにより、広告６０１の表示を中止することなく、表示画面２０１を有効に活用して、非常事態においてカゴ１２１内の乗員６００に伝達すべき情報を迅速かつ確実に伝達することができる。
【０１４１】
具体的には、たとえば、表示画面２０１を複数の領域に分割し、１つの領域において広告６０１を表示し、別の領域において、『ただ今、地震がありました。エレベーター１２０は最寄りの階に停止しますので、速やかにエレベーター１２０から降りて、安全な場所に避難してください。』などのガイダンスメッセージ６０２を表示することにより、表示画面２０１を有効に活用して、カゴ１２１内の乗員６００に有用な情報を迅速に伝達することができる。
【０１４２】
また、具体的には、たとえば、上記のガイダンスメッセージ６０２を、広告６０１に重ねて表示することによっても、表示画面２０１を有効に活用して、カゴ１２１内の乗員６００に有用な情報を迅速に伝達することができる。
【０１４３】
また、カゴ１２１内のどの位置からも見やすい高所に設置される広告表示装置１４０にガイダンスメッセージ６０２を表示することにより、カゴ１２１内に複数の乗員６００がいる場合にも、すべての乗員６００にガイダンスメッセージ６０２を確実に伝達することができる。これにより、カゴ１２１の乗員６００に有用な情報を確実に伝達することができる。
【０１４４】
また、監視装置１３０から送信される所定の信号を受信した場合に広告６０１の表示形態を変更する広告表示装置１４０によれば、エレベーター１２０の状態を検出するセンサや運行異常を検出するプログラムなどを搭載しておらずエレベーター１２０の機能維持に特化されていない機器を用いて、エレベーター１２０の非常事態が発生した場合に広告６０１の表示形態を変更することができる。
【０１４５】
これにより、タブレット端末などのように、表示画面２０１や通信Ｉ／Ｆを備えた汎用的な端末装置によって広告表示装置１４０を実現し、エレベーター１２０の設置後にカゴ１２１に後付けした当該広告表示装置１４０によって、表示画面２０１を有効に活用して、カゴ１２１内の乗員６００に有用な情報を迅速に伝達することができる。
【０１４６】
このように、監視装置１３０から送信される所定の信号を受信した場合に広告６０１の表示形態を変更する広告表示装置１４０によれば、汎用的な端末装置を用いて、エレベーター１２０の状況に応じて表示形態を変更し、表示画面２０１を有効に活用して、カゴ１２１内の乗員６００に有用な情報を迅速に伝達することができる。
【０１４７】
また、この発明にかかる実施の形態の広告表示装置１４０は、表示制御部が、受信部によって所定の信号が受信された場合に、広告６０１の表示サイズを変更することを特徴としている。
【０１４８】
この発明にかかる実施の形態の広告表示装置１４０によれば、非常事態には広告６０１の表示サイズを変更することにより、非常事態において状況にそぐわない広告６０１が平常時と同様に表示され続けることによって、カゴ１２１内の乗員６００を不快にすることを回避できる。具体的には、たとえば、平常時は全画面に表示している広告６０１の表示サイズを縮小する。これにより、カゴ１２１の乗員６００に配慮した、節度をわきまえた広告６０１の表示をおこなうことができる。
【０１４９】
また、この発明にかかる実施の形態の広告表示装置１４０は、表示制御部が、受信部によって所定の信号が受信された場合に、あらかじめ登録されている情報を表示画面２０１に表示することを特徴としている。
【０１５０】
この発明にかかる実施の形態の広告表示装置１４０によれば、監視装置１３０から送信される所定の信号を受信した場合に、あらかじめ登録されているガイダンスメッセージ６０２を表示画面２０１に表示することにより、非常事態においてカゴ１２１内の乗員６００に伝達すべき情報を迅速かつ確実に伝達することができる。
【０１５１】
具体的には、たとえば、『ただ今、地震がありました。エレベーター１２０は最寄りの階に停止しますので、速やかにエレベーター１２０から降りて、安全な場所に避難してください。』などのガイダンスメッセージ６０２を表示することにより、表示画面２０１を有効に活用して、カゴ１２１内の乗員６００に有用な情報を迅速に伝達することができる。
【０１５２】
また、具体的には、上述した広告６０１の表示サイズの変更と組み合わせることにより、たとえば、広告６０１の表示サイズを縮小し、これによって生じた残余の領域において、『ただ今、地震がありました。エレベーター１２０は最寄りの階に停止しますので、速やかにエレベーター１２０から降りて、安全な場所に避難してください。』などのガイダンスメッセージ６０２を表示することにより、表示画面２０１を有効に活用して、カゴ１２１内の乗員６００に有用な情報を迅速に伝達することができる。
【０１５３】
また、カゴ１２１内のどの位置からも見やすい高所に設置される広告表示装置１４０にガイダンスメッセージ６０２を表示することにより、カゴ１２１内に複数の乗員６００がいる場合にも、すべての乗員６００にガイダンスメッセージ６０２を確実に伝達することができる。これにより、カゴ１２１の乗員６００に有用な情報を確実に伝達することができる。
【０１５４】
また、この発明にかかる実施の形態の広告表示装置１４０は、所定の信号が、カゴ１２１内の非常ボタンが押下された際に、監視装置１３０から送信される信号であることを特徴としている。
【０１５５】
この発明にかかる実施の形態の広告表示装置１４０によれば、カゴ１２１内の非常ボタンが押下された場合に広告６０１の表示を中止することにより、非常事態になった後も状況にそぐわない広告６０１が表示され続けることによって、カゴ１２１内の乗員６００を不快にすることを回避できる。
【０１５６】
また、カゴ１２１内の非常ボタンが押下された場合に広告６０１の表示を中止することにより、カゴ１２１内の乗員６００に、エレベーター１２０の管理者が非常事態の発生を把握していることを婉曲的に伝えることができる。これにより、たとえば、カゴ１２１内の乗員６００による犯罪や乗員６００どうしのトラブルに起因するものである場合は、エレベーター１２０の管理者が非常事態の発生を把握していることを乗員６００に伝え、カゴ１２１内の乗員６００による犯罪やトラブルの拡大を抑制することが期待できる。
【０１５７】
あるいは、カゴ１２１内の非常ボタンが押下された場合に広告６０１の表示形態を変更することにより、非常事態になった後も状況にそぐわない広告６０１が表示され続けることによって、カゴ１２１内の乗員６００を不快にすることを回避できる。
【０１５８】
カゴ１２１内の非常ボタンが押下された場合に広告６０１の表示形態を変更する場合も、カゴ１２１内の乗員６００に、エレベーター１２０の管理者が非常事態の発生を把握していることを婉曲的に伝えることができる。これにより、たとえば、カゴ１２１内の乗員６００による犯罪や乗員６００どうしのトラブルに起因するものである場合は、エレベーター１２０の管理者が非常事態の発生を把握していることを乗員６００に伝え、カゴ１２１内の乗員６００による犯罪やトラブルの拡大を抑制することが期待できる。
【０１５９】
なお、この実施の形態で説明した広告表示方法は、あらかじめ用意されたプログラムをパーソナルコンピュータやワークステーションなどのコンピュータで実行することにより実現することができる。このプログラムは、ハードディスク、ＣＤ−ＲＯＭ、ＭＯ、ＤＶＤ、ＵＳＢメモリ、ＳＳＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１６０】
以上のように、この発明にかかる広告表示装置は、エレベーターのカゴ内で広告を表示する広告表示装置に有用であり、特に、広告の表示に適した状況に制限して広告を表示する広告表示装置に適している。
【符号の説明】
【０１６１】
１００  遠隔監視システム
１１０  管理サーバコンピュータ
１２０  エレベーター
１２１  カゴ
１２３  操作盤
１２６  制御基板
１３０  監視装置
１４０  広告表示装置
２０１  表示画面
４０６  ＣＰＵ
４０７  メモリ
４０８  マイク
４０９  スピーカー
４１０  撮像装置（カメラ）
４１１  通信Ｉ／Ｆ
【要約】
エレベーターの監視装置（１３０）に接続され、エレベーターの乗員（６００）に対する広告（６０１）に関する広告情報に基づいて、表示画面（２０１）に広告（６０１）を表示する広告表示装置（１４０）において、監視装置（１３０）から送信される信号を受信し、所定の信号が受信された場合に、表示画面（２０１）における広告（６０１）の表示を中止するようにした。これにより、汎用的な端末装置によって実現される広告表示装置（１４０）を用いて、エレベーターの状況に応じてカゴ（１２１）内の乗員（６００）に配慮した、節度をわきまえた広告（６０１）の表示をおこなうことができる【図１】
0006667980.tif 000002
【図２】
0006667980.tif 000003
【図３】
0006667980.tif 000004
【図４】
0006667980.tif 000005
【図５】
0006667980.tif 000006
【図６】
0006667980.tif 000007
【図７】
0006667980.tif 000008
【図８】
0006667980.tif 000009